(57)【要約】【課題】  人体の胸部が後ろ側から加圧されて定位させて、胸部の曲線の美感を強化すること。【解決手段】  一体に連接された、正面段と、背面段と、底段と、前記正面段と背面段との上端の間に設けた肩帯とを含み、前記背面段の肩帯の付近には縦方向に沿った平坦強化部が複数本に設けてあり、前記平坦強化部は弾性と滑り止め効果とを持つ束ねバンドであり、前記正面段と背面段と底段とは内外層弾性布を縫って構成し、前記平坦強化部は内外層弾性布の間に設置され、前記平坦強化部と外層弾性布とを一体に縫合し、内層弾性布によって前記平坦強化部は人体の皮膚と接触しなくなることを特徴とする繋ぎ式下着。【選択図】  図４
0003114845.tif 000002
【実用新案登録請求の範囲】
【請求項１】
一体に連接された、正面段と、背面段と、底段と、前記正面段と背面段との上端の間に設けた肩帯とを含み、
前記背面段の肩帯の付近には縦方向に沿った平坦強化部が複数本に設けてあることを特徴とする、
繋ぎ式下着。
【請求項２】
前記平坦強化部は弾性と滑り止め効果とを有する束ねバンドであることを特徴とする、請求項１に記載の繋ぎ式下着。
【請求項３】
前記正面段と背面段と底段とは内外層弾性布を縫って構成し、前記平坦強化部は内外層弾性布の間に設置されたことを特徴とする、請求項２に記載の繋ぎ式下着。
【請求項４】
前記平坦強化部と外層弾性布とを一体に縫ってあり、内層弾性布によって前記平坦強化部を人体の皮膚と接触しないようにしたことを特徴とする、請求項３に記載の繋ぎ式下着。
【請求項５】
前記正面段と背面段と底段とは内外層弾性布を縫って構成し、前記平坦強化部は内外層弾性布の間に設置されたことを特徴とする、請求項１に記載の繋ぎ式下着。
【請求項６】
前記平坦強化部と外層弾性布とを一体に縫い、内層弾性布によって前記平坦強化部を人体の皮膚と接触しないようにしたことを特徴とする、請求項５に記載の繋ぎ式下着。
【考案の詳細な説明】
【技術分野】
【０００１】
本考案は、繋ぎ式下着に係り、特に、前記背面段の肩帯の付近には縦方向に沿った平坦強化部が複数本に設けてあり、これにより、人体の胸部が後ろ側から加圧されて定位し、胸部の曲線の美感が強化された繋ぎ式下着に関するものである。
【背景技術】
【０００２】
綺麗になりたいことは女性の天性であり、国民の生活レベルの向上と科学技術の進歩に従って、女性は、顔面用の化粧品を使用すると共に、身体の曲線の美化も重要視になるので、多くの女性は綺麗な身体の曲線を追求するために、大量の時間およびお金を掛けた。また、身体の曲線を綺麗にする方法は色々あり、食べ物によって身体の曲線を綺麗にする方法の他に、薬を身体に塗ることによって身体の一部の曲線を綺麗にする方法もあり、更に体の内部の脂肪を抽出する方法もある。だが、上記方法は実際の効果がないので、女性はタイトな繋ぎ式下着を着用するのは一般であり、繋ぎ式下着の緊迫作用により、女性の身体の曲線は修飾されて綺麗になる効果がある。
【考案の開示】
【考案が解決しようとする課題】
【０００３】
しかしながら、これは次のような欠点があった。
（１）使用者の体の大きさに対応して、繋ぎ式下着を異なる寸法のものにするのは一般であり、それらは身体の各部位に対して平均に緊迫させるが、各女性の身体の形は異なり、余計な筋肉の発生した部位は異なり、特に胸部の後ろ側の近傍に余計な筋肉が発生し易いので、ブラジャーを着用すると、当該箇所では突出状態になり、更に従来の繋ぎ式下着を着用しても当該箇所での曲線も改善し難い。
【０００４】
（２）従来の繋ぎ式下着を着用して座り又は立ち上げる際には、身体は曲がったり、又は真っ直ぐな状態になったり、繋ぎ式下着には下への引き力または上への収縮力が発生し、これにより、肩帯は使用者の肩に対して不適当な圧力を加え、又は肩帯が緩めすぎるようになる。だから、従来の繋ぎ式下着の着用するときの心地が悪くなり、使用者の身体の曲線への修飾効果も低下になる。
【課題を解決するための手段】
【０００５】
上記欠点を解決するためになされた本願の第１考案は、一体に連接された、正面段と、背面段と、底段と、前記正面段と背面段との上端の間に設けた肩帯とを含み、前記背面段の肩帯の付近には縦方向に沿った平坦強化部が複数本に設けてあることを特徴とする繋ぎ式下着であることを要旨としている。
【０００６】
本願の第２考案では、前記平坦強化部は弾性と滑り止め効果とを持つ束ねバンドでもいいことを特徴とする前記第１考案に記載の繋ぎ式下着であることを要旨としている。
【０００７】
本願の第３考案では、前記正面段と背面段と底段とは内外層弾性布を縫って構成してもよく、なお、前記平坦強化部は内外層弾性布の間に設置されたことを特徴とする前記第２考案に記載の繋ぎ式下着であることを要旨としている。
【０００８】
本願の第４考案では、前記平坦強化部と外層弾性布とを一体に縫ってもよく、内層弾性布によって前記平坦強化部は人体の皮膚と接触しなくなることを特徴とする前記第３考案に記載の繋ぎ式下着であることを要旨としている。
【０００９】
本願の第５考案では、前記正面段と背面段と底段とは内外層弾性布を縫って構成してもよく、なお、前記平坦強化部は内外層弾性布の間に設置されたことを特徴とする前記第１考案に記載の繋ぎ式下着であることを要旨としている。
【００１０】
本願の第６考案では、前記平坦強化部と外層弾性布とを一体に縫ってもよく、内層弾性布によって前記平坦強化部は人体の皮膚と接触しなくなることを特徴とする前記第５考案に記載の繋ぎ式下着であることを要旨としている。
【考案の効果】
【００１１】
本考案に係る繋ぎ式下着によれば、前記背面段の肩帯の付近には縦方向に沿った平坦強化部が複数本に設けてあり、これにより、人体の胸部が後ろ側から加圧されて定位し、胸部の曲線の美感が強化された。
【考案を実施するための最良の形態】
【００１２】
以下、添付図面を参照して本考案の好適な実施の形態を詳細に説明する。
【００１３】
まず、図１に示すのは本考案の背面斜視図である。本考案に係る繋ぎ式下着１の構造は、一体に連接された、正面段１１と、背面段１２と、底段１３と、前記正面段１１と背面段１２との上端の間に設けた肩帯１４とを含む。正面段１１と背面段１２と底段１３とは内外層弾性布を縫って形成され、且つ人体の胸部と腰部と尻部となどの部位に対応して人体の曲線を修飾するための縫い線が特別に設けてある。また、前記背面段１２の肩帯１４の付近（すなわち、余計な筋肉が発生し易い箇所）には縦方向に沿った平坦強化部１５が複数本に設けてある。
【００１４】
また、図２に示すのは本考案の背面図である。本考案に係る繋ぎ式下着１の改良した重点は、前記背面段１２の肩帯１４の付近には縦方向に沿った平坦強化部１５が複数本に設けてある設計である。本実施例では、前記平坦強化部１５は一定長さを有し弾性と滑り止め効果とを持つ束ねバンドであり、且つ前記束ねバンドは内外層弾性布の間に定位され、図３に示すのは平坦強化部１５と内外層弾性布との結合状態を示す断面図であり、且つ前記平坦強化部１５は外層弾性布と一体に縫ってもよく、内層弾性布によって前記平坦強化部１５は人体の皮膚と接触しなくなる。
【００１５】
また、図４に示すのは本考案が着用された状態を示す概略図であり、本考案に係る繋ぎ式下着１は、前記背面段１２の肩帯１４の付近には縦方向に沿った平坦強化部１５が複数本に設けてあり、繋ぎ式下着１全体は身体に対して緊迫作用があり、且つ繋ぎ式下着１を着用するときに使用者が胸部の後ろ側の余計な筋肉を胸部へ押さえ、前記平坦強化部１５はちょうど胸部の後ろ側（すなわち、余計な筋肉が発生し易い箇所）に位置するので、平坦強化部１５が当該箇所に対して直接に加圧し定位し、余計な筋肉が平均に加圧されて平坦になり、且つ余計な筋肉が胸部へ移動し易くなり、これにより、胸部の形状が固定され、使用者は走っても、胸部の曲線が変動しなくなる。
【００１６】
また、本考案に係る繋ぎ式下着１は、前記背面段１２の肩帯１４の付近には縦方向に沿った平坦強化部１５が複数本に設けてあり、繋ぎ式下着１全体は身体に対して緊迫作用があり、平坦強化部１５が当該箇所に対して直接に加圧し定位し、余計な筋肉が平均に加圧されて平坦になり、且つ着用したときに使用者が座る又は立ち上げる場合には、身体は曲がった又は真っ直ぐな状態になり、本考案に係る繋ぎ式下着１には下への引き力または上への収縮力が発生しなく、これにより、肩帯は使用者の肩に対して不適当な圧力を加えなく、又は肩帯が緩めすぎるようになることがなく、だから、繋ぎ式下着１の着用するときの心地が良くなり、使用者の身体の曲線への修飾効果も向上になる。
【００１７】
上記説明から明らかなように、本考案に係る繋ぎ式下着１の平坦強化部１５の設計により、一般には使用者が胸部の後ろ側の余計な筋肉を胸部へ押さえ、前記平坦強化部１５はちょうど胸部の後ろ側（すなわち、余計な筋肉が発生し易い箇所）に位置するので、平坦強化部１５が当該箇所に対して直接に加圧し定位し、余計な筋肉が平均に加圧されて平坦になり、これにより、本考案に係る繋ぎ式下着１を着用したと、使用者の身体の曲線がもっと綺麗になる。
【００１８】
また、本考案は、着用の心地をもっと良くするために、正面段１１と背面段１２と底段１３とは内外層弾性布を使用して一体式に縫って構成され、前記内外層弾性布は弾性を持ち網状を呈するマイナスイオン布を使用してもよく、特に、正面段１１と背面段１２との外層弾性布はマイナスイオン布を使用するのは望ましく、且つ正面段１１と背面段１２との内層弾性布は吸湿性と汗排出性とが優れた布を使用するのは望ましく、なお、背面段１２（胸部の後ろ側の脇に近接する箇所を含み）の内層弾性布は吸湿性と汗排出性とが優れた布を使用するのは望ましく、底段１３はナノテック光触媒布を使用するのは望ましく、だから、マイナスイオン布と、吸湿性と汗排出性とが優れた布と、ナノテック光触媒布とを適当に配置することにより、本考案に係る繋ぎ式下着１の着用はもっと快適になる。
【図面の簡単な説明】
【００１９】
【図１】本考案の背面斜視図である。
【図２】本考案の背面図である。
【図３】本考案の一部の構造を示す断面図である。
【図４】本考案が着用された状態を示す概略図である。
【符号の説明】
【００２０】
１        繋ぎ式下着              １１      正面段
１２      背面段                  １３      底段
１４      肩帯                    １５      平坦強化部
【図１】
0003114845.tif 000003
【図２】
0003114845.tif 000004
【図３】
0003114845.tif 000005
【図４】
0003114845.tif 000006